(57)【要約】【課題】本発明は、車載機器と、それを搭載した自動車に関するもので、車載機器としての使い勝手を良くすることを目的とするものである。【解決手段】電源部１３がＯＮになると、車内の複数個所に設置されるカメラ６、８の少なくとも一方で撮影した映像から顔認識動作を実行するとともに、視聴者を特定し、次に、前記特定された視聴者が、前記電源部１３がＯＦＦとなる前に、視聴していた映像情報に関する映像設定データが、メモリ１１に存在するか否かの判定を行う。  そして、その後、このメモリ１１に、前記映像設定データが存在するときには、この視聴者を撮影したカメラ６または８に対応する表示部３または４に、前記映像設定データに基づく映像を、前記映像再生部１２から出力させる構成とした。【選択図】図１
2015115914.tif 000002
【特許請求の範囲】
【請求項１】
車内の複数個所に設置される第１、第２の表示部と、これら第１、第２の表示部に対応して設けられた第１、第２のカメラと、これら第１、第２のカメラ、および前記第１、第２の表示部に接続された制御部と、この制御部に接続されたメモリ、映像再生部、電源部とを備え、前記制御部は、前記電源部がＯＮになると、第１、第２のカメラの少なくとも一方で撮影した映像から顔認識動作を実行するとともに、視聴者を特定し、次に、前記特定された視聴者が、前記電源部がＯＦＦとなる前に、視聴していた映像情報に関する映像設定データが、前記メモリに存在するか否かの判定を行い、その後、このメモリに、前記映像設定データが存在するときには、この視聴者を撮影した第１、または第２のカメラに対応する第１、または第２の表示部に、前記映像設定データに基づく映像を、前記映像再生部から出力させる構成とした車載機器。
【請求項２】
前記制御部は、前記電源部がＯＮになると、第１、第２のカメラで撮影した映像から顔認識動作を実行するとともに、第１、第２の視聴者を特定し、次に、前記特定された第１、第２の視聴者が、前記電源部がＯＦＦとなる前に、視聴していた映像情報に関する映像設定データが、前記メモリに存在するか否かの判定を行い、その後、このメモリに、前記映像設定データが存在するときには、このメモリに前記映像設定データが存在する第１、または第２の視聴者を撮影した第１、または第２のカメラに対応する第１、または第２の表示部に、前記映像設定データに基づく映像を、前記映像再生部から出力させる構成とした請求項１に記載の車載機器。
【請求項３】
前記映像設定データは、特定映像の種類、再生終了情報（レジューム）、音量の少なくとも一つである請求項２に記載の車載機器。
【請求項４】
請求項１から３のいずれか一つに記載の車載機器を車内に配置した自動車。
【発明の詳細な説明】
【技術分野】
【０００１】
本発明は、例えば、車内において映像単独、または音声とともに映像を再生する車載機器と、それを搭載した自動車に関するものである。
【背景技術】
【０００２】
表示部を見つめる人物をカメラで撮影し、映像から顔認識動作を実行するとともに、視聴者を特定し、次に、前記特定された人物が写し出された映像や写真を、優先的に表示部に映し出す電子機器が提案されている（例えば下記特許文献１）。
【先行技術文献】
【特許文献】
【０００３】
【特許文献１】特開２０１０−１７１８４９号公報
【発明の概要】
【発明が解決しようとする課題】
【０００４】
上記従来例においては、表示部に自分が見たいと思う写真などが優先的に表示されるので、利便性の高いものとなる。
【０００５】
しかしながら、その表示部を見ていた人物が、その映像を見るのを一時中断し、その間に別の人物がその表示部を見る状態になると、表示部はその別の人物が見たい写真に変更されてしまう。
【０００６】
つまり、初めの人物が見ていた写真などは、途中まで見ていたことがキャンセルされ、再度表示部に向かったときには、初めから写真を確認しなければならず、使い勝手の悪いものであった。
【０００７】
そこで、本発明は、車載機器としての使い勝手を良くすることを目的とするものである。
【課題を解決するための手段】
【０００８】
そしてこの目的を達成するために本発明は、車内の複数個所に設置される第１、第２の表示部と、これら第１、第２の表示部に対応して設けられた第１、第２のカメラと、これら第１、第２のカメラ、および前記第１、第２の表示部に接続された制御部と、この制御部に接続されたメモリ、映像再生部、電源部とを備え、前記制御部は、前記電源部がＯＮになると、第１、第２のカメラの少なくとも一方で撮影した映像から顔認識動作を実行するとともに、視聴者を特定し、次に、前記特定された視聴者が、前記電源部がＯＦＦとなる前に、視聴していた映像情報に関する映像設定データが、前記メモリに存在するか否かの判定を行い、その後、このメモリに、前記映像設定データが存在するときには、この視聴者を撮影した第１、または第２のカメラに対応する第１、または第２の表示部に、前記映像設定データに基づく映像を、前記映像再生部から出力させる構成とし、これにより所期の目的を達成するものである。
【発明の効果】
【０００９】
以上のように本発明は、車内の複数個所に設置される第１、第２の表示部と、これら第１、第２の表示部に対応して設けられた第１、第２のカメラと、これら第１、第２のカメラ、および前記第１、第２の表示部に接続された制御部と、この制御部に接続されたメモリ、映像再生部、電源部とを備え、前記制御部は、前記電源部がＯＮになると、第１、第２のカメラの少なくとも一方で撮影した映像から顔認識動作を実行するとともに、視聴者を特定し、次に、前記特定された視聴者が、前記電源部がＯＦＦとなる前に、視聴していた映像情報に関する映像設定データが、前記メモリに存在するか否かの判定を行い、その後、このメモリに、前記映像設定データが存在するときには、この視聴者を撮影した第１、または第２のカメラに対応する第１、または第２の表示部に、前記映像設定データに基づく映像を、前記映像再生部から出力させる構成としたので、車載機器としての使い勝手を良くすることができる。
【００１０】
すなわち、本発明では、前記電源部がＯＮになると、車内の複数個所に設置される第１、第２のカメラの少なくとも一方で撮影した映像から顔認識動作を実行するとともに、視聴者を特定し、次に、前記特定された視聴者が、前記電源部がＯＦＦとなる前に、視聴していた映像情報に関する映像設定データが、前記メモリに存在するか否かの判定を行う。
【００１１】
そして、その後、このメモリに、前記映像設定データが存在するときには、この視聴者を撮影した第１、または第２のカメラに対応する第１、または第２の表示部に、前記映像設定データに基づく映像を、前記映像再生部から出力させる構成としたので、特定人物が車内を移動し、別の表示部前に移動しても、前回視聴していた映像情報を続き状態で見ることができ、車載機器としての使い勝手を良くすることができる。
【００１２】
つまり、自動車では、乗り降りの際に、乗車位置は変わることは良くあることで、このような場合でも、前回視聴していた映像情報を続き状態で見ることができるということは、車載機器として極めて使い勝手の良いものとなるのである。
【図面の簡単な説明】
【００１３】
【図１】本発明の一実施形態の車載機器を自動車の車内に設置した状態を示すブロック図
【図２】同動作フローチャート
【発明を実施するための形態】
【００１４】
以下、本発明の一実施形態を、添付図面を用いて説明する。
（実施の形態１）
図１において、１は自動車の車内前席に設置された表示部で、この前席側にはスピーカ２も配置されている。
【００１５】
また、自動車の車内後席にも、右側に表示部３、左側に表示部４が配置されている。
【００１６】
さらに、表示部３に対応してスピーカ５、カメラ６、表示部４に対応してスピーカ７、カメラ８が配置されている。
【００１７】
なお、右側の表示部３、スピーカ５、カメラ６は、右側前席の背面側の中部から上方にかけて配置されている。
【００１８】
また、左側の表示部４、スピーカ７、カメラ８は、左側前席の背面側の中部から上方にかけて配置されている。
【００１９】
前記表示部１、スピーカ２、表示部３、４、スピーカ５、カメラ６、スピーカ７、カメラ８は制御部９に接続されている。
【００２０】
この制御部９には、それ以外にも、前記表示部１でナビゲーションを行うためのＧＰＳ部１０、メモリ１１、映像再生部１２、電源部１３、操作部１４が接続されている。
【００２１】
操作部１４は、各種設定を行うためのものであり、これは前席の表示部１にも、後席の表示部３、４部分にも設置されている。
【００２２】
また、映像再生部１２は、映像を表示部１、３、４に出力するためのものであり、そのときの音声は映像再生部１２からスピーカ２、５、７へと出力される。
【００２３】
以上の構成において、自動車の起動（エンジン起動）を行うと、電源部１３がＯＮ状態となり、各部が起動される（図２のＳ１）。
【００２４】
すると、後席側においては、右席に誰（例えばＡさん）が座っているのかをカメラ６で認識させ、また左席に誰（例えばＢさん）が座っているのかがカメラ８で認識させ、それぞれ、制御部９において、顔認識される（図２のＳ２）。
【００２５】
なお、このような顔認識技術は、既に、例えばデジタルカメラや監視カメラ等で広く知られた技術であるので、説明の煩雑化を避けるために、説明は省略する。
【００２６】
次に、制御部９は、メモリ１１に、Ａさん、Ｂさんの設定状態が存在するか否かの判定が行われる（図２のＳ３）。
【００２７】
例えば、Ａさんが、右席でＶＴＲ映像を視聴していた、そのときの音声レベルはどの程度、その番組のどの部分まで視聴済みかなどが、上記設定状態としてメモリ１１に記録されているか、否かが判定されるのである。
【００２８】
また、Ｂさんが、右席でＤＶＤ映像を視聴していた、そのときの音声レベルはどの程度、その番組のどの部分まで視聴済みかなどが、上記設定状態としてメモリ１１に記録されているか、否かが判定されるのである。
【００２９】
例えば、自動車に始めて乗り込んだ状態では、Ａさんも、Ｂさんも、何も再生、視聴していないので、（図２のＳ３）では、ＮＯとなる。
【００３０】
このため、Ａさんは、自分の目の前にある表示部３近傍の操作部１４を操作して、例えばＶＴＲ映像を視聴することを選択し、また、そのときの音声レベルも設定し、表示部３とスピーカ５でそれを視聴することが出来る（図２のＳ４）。
【００３１】
また、Ｂさんも、自分の目の前にある表示部４近傍の操作部１４を操作して、例えばＤＶＤ映像を視聴することを選択し、また、そのときの音声レベルも設定し、表示部４とスピーカ７でそれを視聴することが出来る（図２のＳ４）。
【００３２】
そのような状態において、例えばドライブインに立ち寄り、自動車のエンジンを停止すると、電源部１３はＯＦＦ信号を受けるので（図２のＳ５）、このときには、現在Ａさんが、ＶＴＲ映像を視聴していること、また、その番組のどの箇所まで視聴済みか、さらに音声レベルがどの程度であったかが、メモリ１１に、設定情報として登録される（図２のＳ６）。
【００３３】
また、同時にこの（図２のＳ６）においては、現在Ｂさんが、ＤＶＤ映像を視聴していること、また、その番組のどの箇所まで視聴済みか、さらに音声レベルがどの程度であったかが、メモリ１１に、設定情報として登録される。
【００３４】
そして、最終のＯＦＦ動作となる（図２のＳ７）。
【００３５】
さて、ドライブインでの所用が終わり、車に帰って自動車のエンジンを起動すると、電源部１３がＯＮ状態となり、各部が起動される（図２のＳ１）。
【００３６】
すると、後席側においては、右席に誰が座っているのかをカメラ６で認識させ、また左席に誰が座っているのかがカメラ８で認識させ、それぞれ、制御部９において、顔認識される（図２のＳ２）。
【００３７】
メモリ１１には、既に（図２のＳ６）において、初期乗車時にＡさん、Ｂさんの顔認識、および設定情報が登録されているので、この（図２のＳ３）はＹｅｓとなり、（図２のＳ８）へと進む。
【００３８】
つまり、メモリ１１には、前回視聴時に、Ａさんが、ＶＴＲ映像を視聴していたこと、また、その番組のどの箇所まで視聴済みか、さらに音声レベルがどの程度であったかが、および、Ｂさんが、ＤＶＤ映像を視聴していたこと、また、その番組のどの箇所まで視聴済みか、さらに音声レベルがどの程度であったかが、設定情報として登録されている。
【００３９】
このため、右席のカメラ６でＢさんを認識し、また左席のカメラ８でＡさんを認識した場合には、次のような再生動作が実行される。
【００４０】
具体的には、右席の表示部３には、Ｂさんが、先程まで視聴していたＤＶＤ映像が、前回視聴中断時から再生され、また、音声レベルも前回設定時となる。
【００４１】
逆に、左席の表示部４には、Ａさんが、先程まで視聴していたＶＴＲ映像が、前回視聴中断時から再生され、また、音声レベルも前回設定時となる（図２のＳ８）。
【００４２】
つまり、制御部９は、メモリ１１に記憶させたＡさん、Ｂさんの顔認識情報、およびそれに関連付けされた設定情報に基づき、後席で、左右に移動しても、移動先で、前回再生を続けることができ、極めて使い勝手の良いものとなるのである。
【００４３】
勿論、この（図２のＳ８）において、例えばＢさんが前記ドライブインで、他の車に乗り換えた時には、Ｂさんをカメラ６、８で認識することが出来ないので、Ｂさんが視聴していたＤＶＤは再生されず、Ｂさんの設定情報はメモリ１１に記憶されたままの状態となる。
【００４４】
そして、このような状態で、例えば、目的地に到着し、自動車のエンジンを停止すると、電源部１３はＯＦＦ信号を受けるので（図２のＳ９）、このときには、現在Ａさんが、ＶＴＲ映像を視聴していること、また、その番組のどの箇所まで視聴済みか、さらに音声レベルがどの程度であったかが、メモリ１１に、設定情報として更新登録される（図２のＳ１０）。
【００４５】
また、同時にこの（図２のＳ１０）においては、Ｂさんが、ＤＶＤ映像を視聴していたこと、また、その番組のどの箇所まで視聴済みか、さらに音声レベルがどの程度であったかが、メモリ１１に、設定情報として更新登録される。
【００４６】
そして、最終のＯＦＦ動作となる（図２のＳ１１）。
【００４７】
以上のごとく本実施形態では、前記電源部１３がＯＮになると、車内の複数個所に設置されるカメラ６、８の少なくとも一方で撮影した映像から顔認識動作を実行するとともに、視聴者を特定し、次に、前記特定された視聴者が、前記電源部１３がＯＦＦとなる前に視聴していた映像情報に関する映像設定データが、メモリ１１に存在するか否かの判定を行う。
【００４８】
そして、その後、このメモリ１１に、前記映像設定データが存在するときには、この視聴者を撮影したカメラ６または８に対応する表示部３または４に、前記映像設定データに基づく映像を、前記映像再生部１２から出力させる構成としたので、特定人物が車内を移動し、別の表示部３、または４前に移動しても、前回視聴していた映像情報を続き状態で見ることができ、車載機器としての使い勝手を良くすることができる。
【００４９】
つまり、自動車では、乗り降りの際に、乗車位置は変わることは良くあることで、このような場合でも、前回視聴していた映像情報を続き状態で見ることができるということは、車載機器として極めて使い勝手の良いものとなるのである。
【産業上の利用可能性】
【００５０】
以上のごとく本発明は、前記電源部がＯＮになると、車内の複数個所に設置される第１、第２のカメラの少なくとも一方で撮影した映像から顔認識動作を実行するとともに、視聴者を特定し、次に、前記特定された視聴者が、前記電源部がＯＦＦとなる前に、視聴していた映像情報に関する映像設定データが、前記メモリに存在するか否かの判定を行う。
【００５１】
そして、その後、このメモリに、前記映像設定データが存在するときには、この視聴者を撮影した第１、または第２のカメラに対応する第１、または第２の表示部に、前記映像設定データに基づく映像を、前記映像再生部から出力させる構成としたので、特定人物が車内を移動し、別の表示部前に移動しても、前回視聴していた映像情報を続き状態で見ることができ、車載機器としての使い勝手を良くすることができる。
【００５２】
つまり、自動車では、乗り降りの際に、乗車位置は変わることは良くあることで、このような場合でも、前回視聴していた映像情報を続き状態で見ることができるということは、車載機器として極めて使い勝手の良いものとなるのである。
【００５３】
したがって、車載機器や、それを搭載した自動車としての活用が期待されるものとなる。
【符号の説明】
【００５４】
１  表示部
２  スピーカ
３  表示部
４  表示部
５  スピーカ
６  カメラ
７  スピーカ
８  カメラ
９  制御部
１０  ＧＰＳ部
１１  メモリ
１２  映像再生部
１３  電源部
１４  操作部
【図１】
2015115914.tif 000003
【図２】
2015115914.tif 000004